(57)【特許請求の範囲】
【請求項１】
複数階からなる病棟の構成を示す病棟構成情報、前記病棟の各階における病室の配置位置を示す病室配置情報、前記病室に入院している患者を識別するための患者識別情報、及び患者が病原体に感染している場合に、患者が感染している病原体を識別するための病原体識別情報を記憶する記憶部と、
表示部と、
前記記憶部に記憶されている前記病棟構成情報、前記病室配置情報、前記患者識別情報、及び前記病原体識別情報に基づいて、前記病棟の複数階の構成を示す病棟マップを、各階に感染者がいるか否かを識別可能に且つ階毎に選択可能に前記表示部に表示させ、前記病棟マップにおいて何れかの階が選択された場合、選択された階における病室の配置を示す病室配置図を含む病室配置画面を前記表示部に表示させ、且つ、前記病室配置図に示される各病室に対応付けて、前記病室に入院している患者を示す患者識別情報を、病原体に感染している患者及び病原体に感染していない患者のそれぞれについて前記病室配置画面に表示させ、患者が感染している病原体を識別するための病原体識別情報を、病原体に感染している各患者の患者識別情報に対応付けて前記病室配置画面に表示させる制御部と、
を備える、
感染情報提供システム。
【請求項２】
前記記憶部は、前記病室配置情報によって配置位置が示される各病室を識別するための病室識別情報を記憶しており、
前記制御部は、前記記憶部に記憶されている前記病室識別情報に基づいて、前記病室配置図における各病室に、対応する病室識別情報を表示するように構成されている、
請求項１に記載の感染情報提供システム。
【請求項３】
前記制御部は、前記病室配置図において、感染者が入院している病室と、感染者が入院していない病室とを区別して表示させるように構成されている、
請求項１又は２に記載の感染情報提供システム。
【請求項４】
前記制御部は、前記病室配置図において、感染者が入院している病室を所定の第１の色の図形で表示させ、感染者が入院していない病室を前記第１の色とは異なる第２の色で表示させるように構成されている、
請求項３に記載の感染情報提供システム。
【請求項５】
前記記憶部は、前記病棟の各階における病室以外の設備の配置位置を示す設備配置情報と、前記病棟の各階における設備について病原体を検出する環境検査結果を記憶しており、
前記病室配置図は、前記選択された階における設備の配置をさらに示し、
前記制御部は、前記記憶部に記憶されている前記設備配置情報に基づいて、前記病室配置図に示される各設備に対応付けて、前記設備を示す設備情報を前記病室配置画面に表示させ、且つ、前記記憶部に記憶されている前記環境検査結果に基づいて、病原体が検出された設備の設備情報と病原体が検出されなかった設備の設備情報とを区別して表示させるように構成されている、
請求項１乃至４の何れかに記載の感染情報提供システム。
【請求項６】
前記記憶部は、各患者の入退院の日付を示す入退院日付情報を記憶し、且つ、前記各患者の感染症への罹患及び治癒に関する日付を示す感染日付情報を記憶しており、
日付を指定する日付指定部をさらに備え、
前記制御部は、前記記憶部に記憶されている前記病室配置情報、前記患者識別情報、前記入退院日付情報、及び前記感染日付情報に基づいて、前記病室配置図に示される各病室に対応付けて、前記日付指定部によって指定された日付において前記病室に入院していた患者を示す患者識別情報を、前記日付指定部によって指定された日付において患者が病原体に感染していたか否かを識別可能に表示させるように構成されている、
請求項１乃至５の何れかに記載の感染情報提供システム。
【請求項７】
前記制御部は、前記記憶部に記憶されている前記病室配置情報、前記患者識別情報、及び前記病原体識別情報に基づいて、前記選択された階における病室の配置を示す第２病室配置図を前記病室配置画面に表示可能であり、前記第２病室配置図において、病室に入院している患者を示す患者識別情報を含まず、且つ、感染者が入院している病室と、感染者が入院していない病室とを区別して表示させるように構成されている、
請求項１乃至６の何れかに記載の感染情報提供システム。
【請求項８】
入力部を備え、
前記病室配置画面は、前記病室配置図から前記第２病室配置図へ表示を切り替えるための選択可能な第１切替部と、前記第２病室配置図から前記病室配置図へ表示を切り替えるための選択可能な第２切替部とを含み、
前記制御部は、前記病室配置図が前記病室配置画面に表示されている場合であって、前記第１切替部を選択する入力が前記入力部によって受け付けられたときに、前記病室配置図から前記第２病室配置図へ前記病室配置画面の表示を切り替えるように構成されており、前記第２病室配置図が前記病室配置画面に表示されている場合であって、前記第２切替部を選択する入力が前記入力部によって受け付けられたときに、前記第２病室配置図から前記病室配置図へ前記病室配置画面の表示を切り替えるように構成されている、
請求項７に記載の感染情報提供システム。
【請求項９】
前記制御部は、所定の周期で前記記憶部から前記病室配置情報、前記患者識別情報、及び前記病原体識別情報を読み出し、読出された前記病室配置情報、前記患者識別情報、及び前記病原体識別情報に基づいて、前記病室配置画面の表示を自動的に更新可能に構成されている、
請求項１乃至８の何れかに記載の感染情報提供システム。
【請求項１０】
前記記憶部は、前記病原体識別情報として、病原体を示す病原体コードまたは病原体の名称を記憶し、
前記制御部は、前記病室配置画面において、前記病原体識別情報として、患者が感染している病原体に対応する記号を表示させるように構成されている、
請求項１乃至９の何れかに記載の感染情報提供システム。
【請求項１１】
前記記憶部は、患者に対する医療機器の挿入又は抜去に関する医療機器挿入抜去情報を記憶しており、
前記制御部は、前記記憶部に記憶されている前記医療機器挿入抜去情報に基づいて、患者が医療機器を装着していることを識別するための情報を、医療機器を装着している各患者の患者識別情報に対応付けて前記病室配置画面に表示させるように構成されている、
請求項１乃至１０の何れかに記載の感染情報提供システム。
【請求項１２】
情報を表示する表示装置に通信可能に接続された感染情報提供装置であって、
複数階からなる病棟の構成を示す病棟構成情報、前記病棟の各階における病室の配置位置を示す病室配置情報、前記病室に入院している患者を識別するための患者識別情報、及び患者が病原体に感染している場合に、患者が感染している病原体を識別するための病原体識別情報を記憶する記憶部と、
前記記憶部に記憶されている前記病棟構成情報、前記病室配置情報、前記患者識別情報、及び前記病原体識別情報に基づいて、前記病棟の複数階の構成を示す病棟マップを、各階に感染者がいるか否かを識別可能に且つ階毎に選択可能に表示させ、前記病棟マップにおいて何れかの階が選択された場合、選択された階における病室の配置を示す病室配置図を含む病室配置画面を表示させ、且つ、前記病室配置図に示される各病室に対応付けて、前記病室に入院している患者を示す患者識別情報を、病原体に感染している患者及び病原体に感染していない患者のそれぞれについて前記病室配置画面に表示させ、患者が感染している病原体を識別するための病原体識別情報を、病原体に感染している各患者の患者識別情報に対応付けて前記病室配置画面に表示させるための表示データを作成する制御部と、
前記表示装置に前記病棟マップ及び前記病室配置画面を表示させるために、前記制御部によって作成された前記表示データを前記表示装置へ送信する通信部と、
を備える、
感染情報提供装置。
【請求項１３】
情報を表示する表示装置にデータを送信するための通信部と、複数階からなる病棟の構成を示す病棟構成情報、前記病棟の各階における病室の配置位置を示す病室配置情報、前記病室に入院している患者を識別するための患者識別情報、及び患者が病原体に感染している場合に、患者が感染している病原体を識別するための病原体識別情報を記憶する記憶部と、を備えるコンピュータに、前記病棟内での感染に関する情報を提供させるためのコンピュータプログラムであって、
前記記憶部から、前記病棟構成情報、前記病室配置情報、前記患者識別情報、及び前記病原体識別情報を読み出すステップと、
読み出された前記病棟構成情報、前記病室配置情報、前記患者識別情報、及び前記病原体識別情報に基づいて、前記病棟の複数階の構成を示す病棟マップを、各階に感染者がいるか否かを識別可能に且つ階毎に選択可能に表示させ、前記病棟マップにおいて何れかの階が選択された場合、選択された階における病室の配置を示す病室配置図を含む病室配置画面を表示させ、且つ、前記病室配置図に示される各病室に対応付けて、前記病室に入院している患者を示す患者識別情報を、病原体に感染している患者及び病原体に感染していない患者のそれぞれについて前記病室配置画面に表示させ、患者が感染している病原体を識別するための病原体識別情報を、病原体に感染している各患者の患者識別情報に対応付けて前記病室配置画面に表示させるための表示データを作成するステップと、
前記表示装置に前記病棟マップ及び前記病室配置画面を表示させるために、作成された前記表示データを、前記通信部によって前記表示装置へ送信するステップと、
を前記コンピュータに実行させる、
コンピュータプログラム。
【発明の詳細な説明】
【技術分野】
【０００１】
本発明は、医療施設内における患者の病原体への感染に関する情報を提供する感染情報提供システム、感染情報提供装置、及びコンピュータを感染情報提供装置として機能させるためのコンピュータプログラムに関する。
【背景技術】
【０００２】
従来、病院等の医療施設内における院内感染の状況を示す情報を表示するシステムが知られている（例えば、特許文献１）。
【０００３】
特許文献１には、感染状況の的確な把握を助けるために、病院内の指定されたフロアにおける保菌者の分布を時系列で表示する院内感染状況診断装置が開示されている。かかる特許文献１に開示されている院内感染状況診断装置では、病院内のフロアのレイアウト図が表示され、当該レイアウト図における保菌者が存在する座標に保菌者数に応じた数の点が描画されることで、保菌者の分布が示される。
【先行技術文献】
【特許文献】
【０００４】
【特許文献１】特開平７−７９９２９号公報
【発明の概要】
【発明が解決しようとする課題】
【０００５】
医師及び看護師等の医療従事者は、院内感染を予防するために、患者が保菌者であるか、患者のそばに保菌者がいるか等に応じて、各患者に対して個別に適切な処置を取る必要がある。しかしながら、特許文献１に開示されている院内感染状況診断装置にあっては、ユーザは前記レイアウト図を見ることでフロアのどの辺りに保菌者が存在するかを知ることはできるが、どの患者が保菌者でありどの病室にいるか等、現場で各患者に医療行為を行う上で院内感染の予防に必要な情報を前記レイアウト図から得ることができなかった。このため、医療従事者はカルテ等を調べて必要な情報を得るという煩雑な作業を行う必要があった。また、指定されたフロア以外の感染状況を把握することも困難であった。
【０００６】
本発明は、かかる課題に鑑みてなされたものであり、病棟全体における感染状況を容易に把握できるとともに、特定の階における病室毎及び患者毎の詳細な感染状況を容易に把握することが可能な感染情報提供システム、感染情報提供装置、及びコンピュータプログラムを提供することを目的とする。
【課題を解決するための手段】
【０００７】
上述した課題を解決するために、本発明の一の態様の感染情報提供システムは、複数階からなる病棟の構成を示す病棟構成情報、前記病棟の各階における病室の配置位置を示す病室配置情報、前記病室に入院している患者を識別するための患者識別情報、及び患者が病原体に感染している場合に、患者が感染している病原体を識別するための病原体識別情報を記憶する記憶部と、表示部と、前記記憶部に記憶されている前記病棟構成情報、前記病室配置情報、前記患者識別情報、及び前記病原体識別情報に基づいて、前記病棟の複数階の構成を示す病棟マップを、各階に感染者がいるか否かを識別可能に且つ階毎に選択可能に前記表示部に表示させ、前記病棟マップにおいて何れかの階が選択された場合、選択された階における病室の配置を示す病室配置図を含む病室配置画面を前記表示部に表示させ、且つ、前記病室配置図に示される各病室に対応付けて、前記病室に入院している患者を示す患者識別情報を、病原体に感染している患者及び病原体に感染していない患者のそれぞれについて前記病室配置画面に表示させ、患者が感染している病原体を識別するための病原体識別情報を、病原体に感染している各患者の患者識別情報に対応付けて前記病室配置画面に表示させる制御部と、を備える。
【００１０】
上記態様において、前記記憶部は、前記病室配置情報によって配置位置が示される各病室を識別するための病室識別情報を記憶しており、前記制御部は、前記記憶部に記憶されている前記病室識別情報に基づいて、前記病室配置図における各病室に、対応する病室識別情報を表示するように構成されていてもよい。
【００１１】
上記態様において、前記制御部は、前記病室配置図において、感染者が入院している病室と、感染者が入院していない病室とを区別して表示させるように構成されていてもよい。
【００１２】
上記態様において、前記制御部は、前記病室配置図において、感染者が入院している病室を所定の第１の色の図形で表示させ、感染者が入院していない病室を前記第１の色とは異なる第２の色で表示させるように構成されていてもよい。
【００１３】
上記態様において、前記記憶部は、前記病棟の各階における病室以外の設備の配置位置を示す設備配置情報と、前記病棟の各階における設備について病原体を検出する環境検査結果を記憶しており、前記病室配置図は、前記選択された階における設備の配置をさらに示し、前記制御部は、前記記憶部に記憶されている前記設備配置情報に基づいて、前記病室配置図に示される各設備に対応付けて、前記設備を示す設備情報を前記病室配置画面に表示させ、且つ、前記記憶部に記憶されている前記環境検査結果に基づいて、病原体が検出された設備の設備情報と病原体が検出されなかった設備の設備情報とを区別して表示させるように構成されていてもよい。
【００１４】
上記態様において、前記記憶部は、各患者の入退院の日付を示す入退院日付情報を記憶し、且つ、前記各患者の感染症への罹患及び治癒に関する日付を示す感染日付情報を記憶しており、日付を指定する日付指定部をさらに備え、前記制御部は、前記記憶部に記憶されている前記病室配置情報、前記患者識別情報、前記入退院日付情報、及び前記感染日付情報に基づいて、前記病室配置図に示される各病室に対応付けて、前記日付指定部によって指定された日付において前記病室に入院していた患者を示す患者識別情報を、前記日付指定部によって指定された日付において患者が病原体に感染していたか否かを識別可能に表示させるように構成されていてもよい。
【００１５】
上記態様において、前記制御部は、前記記憶部に記憶されている前記病室配置情報、前記患者識別情報、及び前記病原体識別情報に基づいて、前記選択された階における病室の配置を示す第２病室配置図を前記病室配置画面に表示可能であり、前記第２病室配置図において、病室に入院している患者を示す患者識別情報を含まず、且つ、感染者が入院している病室と、感染者が入院していない病室とを区別して表示させるように構成されていてもよい。
【００１６】
上記態様において、前記感染情報提供システムは、入力部を備え、前記病室配置画面は、前記病室配置図から前記第２病室配置図へ表示を切り替えるための選択可能な第１切替部と、前記第２病室配置図から前記病室配置図へ表示を切り替えるための選択可能な第２切替部とを含み、前記制御部は、前記病室配置図が前記病室配置画面に表示されている場合であって、前記第１切替部を選択する入力が前記入力部によって受け付けられたときに、前記病室配置図から前記第２病室配置図へ前記病室配置画面の表示を切り替えるように構成されており、前記第２病室配置図が前記病室配置画面に表示されている場合であって、前記第２切替部を選択する入力が前記入力部によって受け付けられたときに、前記第２病室配置図から前記病室配置図へ前記病室配置画面の表示を切り替えるように構成されていてもよい。
【００１７】
上記態様において、前記制御部は、所定の周期で前記記憶部から前記病室配置情報、前記患者識別情報、及び前記病原体識別情報を読み出し、読出された前記病室配置情報、前記患者識別情報、及び前記病原体識別情報に基づいて、前記病室配置画面の表示を自動的に更新可能に構成されていてもよい。
上記態様において、前記記憶部は、前記病原体識別情報として、病原体を示す病原体コードまたは病原体の名称を記憶し、前記制御部は、前記病室配置画面において、前記病原体識別情報として、患者が感染している病原体に対応する記号を表示させるように構成されていてもよい。
上記態様において、前記記憶部は、患者に対する医療機器の挿入又は抜去に関する医療機器挿入抜去情報を記憶しており、前記制御部は、前記記憶部に記憶されている前記医療機器挿入抜去情報に基づいて、患者が医療機器を装着していることを識別するための情報を、医療機器を装着している各患者の患者識別情報に対応付けて前記病室配置画面に表示させるように構成されていてもよい。
【００１８】
本発明の一の態様の感染情報提供装置は、情報を表示する表示装置に通信可能に接続された感染情報提供装置であって、複数階からなる病棟の構成を示す病棟構成情報、前記病棟の各階における病室の配置位置を示す病室配置情報、前記病室に入院している患者を識別するための患者識別情報、及び患者が病原体に感染している場合に、患者が感染している病原体を識別するための病原体識別情報を記憶する記憶部と、前記記憶部に記憶されている前記病棟構成情報、前記病室配置情報、前記患者識別情報、及び前記病原体識別情報に基づいて、前記病棟の複数階の構成を示す病棟マップを、各階に感染者がいるか否かを識別可能に且つ階毎に選択可能に表示させ、前記病棟マップにおいて何れかの階が選択された場合、選択された階における病室の配置を示す病室配置図を含む病室配置画面を表示させ、且つ、前記病室配置図に示される各病室に対応付けて、前記病室に入院している患者を示す患者識別情報を、病原体に感染している患者及び病原体に感染していない患者のそれぞれについて前記病室配置画面に表示させ、患者が感染している病原体を識別するための病原体識別情報を、病原体に感染している各患者の患者識別情報に対応付けて前記病室配置画面に表示させるための表示データを作成する制御部と、前記表示装置に前記病棟マップ及び前記病室配置画面を表示させるために、前記制御部によって作成された前記表示データを前記表示装置へ送信する通信部と、を備える。
【００１９】
本発明の一の態様のコンピュータプログラムは、情報を表示する表示装置にデータを送信するための通信部と、複数階からなる病棟の構成を示す病棟構成情報、前記病棟の各階における病室の配置位置を示す病室配置情報、前記病室に入院している患者を識別するための患者識別情報、及び患者が病原体に感染している場合に、患者が感染している病原体を識別するための病原体識別情報を記憶する記憶部と、を備えるコンピュータに、前記病棟内での感染に関する情報を提供させるためのコンピュータプログラムであって、前記記憶部から、前記病棟構成情報、前記病室配置情報、前記患者識別情報、及び前記病原体識別情報を読み出すステップと、読み出された前記病棟構成情報、前記病室配置情報、前記患者識別情報、及び前記病原体識別情報に基づいて、前記病棟の複数階の構成を示す病棟マップを、各階に感染者がいるか否かを識別可能に且つ階毎に選択可能に表示させ、前記病棟マップにおいて何れかの階が選択された場合、選択された階における病室の配置を示す病室配置図を含む病室配置画面を表示させ、且つ、前記病室配置図に示される各病室に対応付けて、前記病室に入院している患者を示す患者識別情報を、病原体に感染している患者及び病原体に感染していない患者のそれぞれについて前記病室配置画面に表示させ、患者が感染している病原体を識別するための病原体識別情報を、病原体に感染している各患者の患者識別情報に対応付けて前記病室配置画面に表示させるための表示データを作成するステップと、前記表示装置に前記病棟マップ及び前記病室配置画面を表示させるために、作成された前記表示データを、前記通信部によって前記表示装置へ送信するステップと、を前記コンピュータに実行させる。
【発明の効果】
【００２０】
本発明に係る感染情報提供システム、感染情報提供装置、及びコンピュータプログラムによれば、院内感染に対する適切な措置に必要な、病棟全体における階毎の感染状況を示す情報と、特定の階における病室毎及び患者毎の詳細な感染状況を示す情報とをユーザが容易に得ることが可能となる。
【図面の簡単な説明】
【００２１】
【図１】実施の形態に係る感染情報提供システムの全体構成を示す模式図。
【図２】実施の形態に係る感染情報提供システムが備えるサーバ装置の構成を示すブロック図。
【図３】実施の形態に係る感染情報提供システムが備えるクライアント装置の構成を示すブロック図。
【図４】サーバ装置に設けられた各種データベースの構成を示す模式図。
【図５】メニュー画面の構成を示す図。
【図６】病棟マップ表示処理の流れを示すフローチャート。
【図７】病棟マップ画面の一例を示す図。
【図８】フロアマップ表示処理の流れを示すフローチャート。
【図９】フロアマップ画面の一例を示す図。
【図１０】フロアマップでの患者情報表示処理の流れを示すフローチャート。
【図１１】患者情報が重畳表示されたフロアマップ画面の例を示す図。
【図１２】一覧表示切替処理の流れを示すフローチャート。
【図１３】一覧画面の一例を示す図。
【図１４】フロアマップ表示切替処理の流れを示すフローチャート。
【図１５】フロアマップ再描画処理の流れを示すフローチャート。
【発明を実施するための形態】
【００２２】
以下、本発明の好ましい実施の形態を、図面を参照しながら説明する。
【００２３】
［感染情報提供システムの構成］
図１は、本実施の形態に係る感染情報提供システムの全体構成を示す模式図である。本感染情報提供システム１は、病院等の医療施設に設置され、各患者の病原体への感染状況の確認、院内感染の推移の確認等に用いられるものである。感染情報提供システム１は、ＬＡＮ又はイントラネット等の情報ネットワークを使用したクライアントサーバシステムであり、サーバ装置２と、医師又は看護師等の医療従事者が使用するクライアント装置３とを備えている。また、感染情報提供システム１は、患者の病状、処置、治療経過等の診療情報が記録された電子カルテシステム６と、細菌検査装置を含む検体分析装置４とを備えており、サーバ装置２と、学習用クライアント装置３、検体分析装置４、及び電子カルテシステム６との間は、情報ネットワーク５によりデータ通信可能に接続されている。これにより、サーバ装置２は電子カルテシステム６から診療情報を、検体分析装置４から細菌検査結果を、それぞれ取得可能となっている。
【００２４】
＜サーバ装置２の構成＞
図２は、サーバ装置２の構成を示すブロック図である。サーバ装置２は、コンピュータ２ａによって実現される。図２に示すように、コンピュータ２ａは、本体２１と、表示部２２と、入力部２３とを備えている。本体２１は、ＣＰＵ２１ａ、ＲＯＭ２１ｂ、ＲＡＭ２１ｃ、ハードディスク２１ｄ、読出装置２１ｅ、入出力インタフェース２１ｆ、通信インタフェース２１ｇ、及び画像出力インタフェース２１ｈを備えており、ＣＰＵ２１ａ、ＲＯＭ２１ｂ、ＲＡＭ２１ｃ、ハードディスク２１ｄ、読出装置２１ｅ、入出力インタフェース２１ｆ、通信インタフェース２１ｇ、及び画像出力インタフェース２１ｈは、バス２１ｊによって接続されている。
【００２５】
ハードディスク２１ｄは、オペレーティングシステム及びアプリケーションプログラム等、ＣＰＵ２１ａに実行させるための種々のコンピュータプログラム及び当該コンピュータプログラムの実行に用いられるデータがインストールされている。サーバ用のコンピュータプログラム２４ａも、このハードディスク２１ｄにインストールされている。
【００２６】
読出装置２１ｅは、フレキシブルディスクドライブ、ＣＤ−ＲＯＭドライブ、またはＤＶＤ−ＲＯＭドライブ等によって構成されており、可搬型記録媒体２４に記録されたコンピュータプログラムまたはデータを読み出すことができる。また、可搬型記録媒体２４には、コンピュータをサーバ装置２として機能させるためのコンピュータプログラム２４ａが格納されており、コンピュータ２ａが当該可搬型記録媒体２４からコンピュータプログラム２４ａを読み出し、当該コンピュータプログラム２４ａをハードディスク２１ｄにインストールすることが可能である。
【００２７】
ハードディスク２１ｄには、例えば米マイクロソフト社が製造販売するWindows（登録商標）等のマルチタスクオペレーティングシステムがインストールされている。以下の説明においては、本実施の形態に係るコンピュータプログラム２４ａは当該オペレーティングシステム上で動作するものとしている。
【００２８】
図４は、ハードディスク２１ｄに設けられた各種データベースの構成を示す模式図である。図４に示すように、ハードディスク２１ｄには、デバイス挿入抜去実施データベースＤＢ１、入退院移動情報データベースＤＢ２、細菌検査結果データベースＤＢ３、病棟構成データベースＤＢ４、病棟設備データベースＤＢ５、病棟配置データベースＤＢ６、病棟設備配置データベースＤＢ７、及び環境検査結果データベースＤＢ８が設けられている。
【００２９】
デバイス挿入抜去実施データベースＤＢ１には、患者に対するデバイスの挿入又は抜去に関する情報が格納される。ここでいう「デバイス」とは、患者に装着される医療機器をいい、例として、カテーテル、ドレーン、輸液ルート、ＥＤチューブ、イレウス管、人工呼吸器等が挙げられる。サーバ装置２は、電子カルテシステム６と通信を行い、電子カルテシステム６に記憶されている患者の診療情報を受信する。かかるデバイス挿入抜去実施データベースＤＢ１には、電子カルテシステム６から送信された診療情報に含まれるデバイスの挿入抜去情報が格納される。具体的には、患者を特定するための患者ＩＤ、デバイスの挿入抜去実施日、挿入抜去が実施されたデバイスに割り当てられたデバイスコード、デバイス名、及び患者が入院している病棟を示す病棟コード等の情報がデバイス挿入抜去実施データベースＤＢ１に格納される。
【００３０】
入退院移動情報データベースＤＢ２には、患者の入退院に関する情報が格納される。入退院移動情報データベースＤＢ２には、電子カルテシステム６から送信された診療情報に含まれる入退院移動情報が格納される。具体的には、患者ＩＤ、患者氏名、入院日、退院日、移動日、患者が入院している病棟の病棟コード、病棟名、患者が入院している病室の病室番号、及びベッド番号等の情報が入退院移動情報データベースＤＢ２に格納される。
【００３１】
細菌検査結果データベースＤＢ３には、患者の細菌検査の結果が格納される。サーバ装置２は検体分析装置４と通信を行い、検体分析装置４による検体分析結果（細菌検査）を受信する。かかる細菌検査結果データベースＤＢ３には、検体分析装置４から送信された細菌検査結果が格納される。具体的には、患者ＩＤ、患者氏名、検体の採取日時、検出された細菌を示す検出菌コード、検出菌の名称等の情報が細菌検査結果データベースＤＢ３に格納される。また、検体分析装置４以外による検査で得られた感染症の検査結果（例えばインフルエンザ抗原Ａ、腸感染ウイルス及び風邪等の検査結果）は、電子カルテシステム６から取得され、細菌検査結果データベースＤＢ３には、それらの検査結果も格納される。
【００３２】
病棟構成データベースＤＢ４には、病棟に設けられた病室及びベッド等の情報が格納される。具体的には、管理番号、病棟コード、病棟名、フロア名称、病室番号、病室名、及びベッド番号が病棟構成データベースＤＢ４に格納される。
【００３３】
病棟設備データベースＤＢ５には、病棟内の病室以外の設備（トイレ、エレベーター、階段、浴室、洗面所等）の情報が格納される。具体的には、管理番号、病棟コード、病室番号、設備毎に割り当てられた設備コード、設備名が病棟設備データベースＤＢ５に格納される。
【００３４】
病室配置データベースＤＢ６には、病棟内における各病室の配置情報が格納される。具体的には、管理番号、病棟フロア描画区分、病棟コード、病室番号、及び病室の座標が病室配置データベースＤＢ６に格納される。この病室配置データベースＤＢ６に記憶される病室配置情報は、後述するフロアマップ表示及び一覧表示の画面データを作成するときに使用される。病棟フロア描画区分は、フロアマップ表示に用いられるレコードの場合は“１”とされ、一覧表示に用いられるレコードの場合は“２”とされる。つまり、病室配置データベースＤＢ６では、１つの病室について、フロアマップ表示用の病室配置情報と、一覧表示用の病室配置情報との２つの病室配置情報が登録される。この病室配置データベースＤＢ６に格納される病室配置情報については後に詳述する。
【００３５】
病棟設備配置データベースＤＢ７には、病棟内における各設備の配置情報が格納される。具体的には、管理番号、病棟フロア描画区分、病棟コード、設備コード、及び設備の座標が病棟設備配置データベースＤＢ７に格納される。この病棟設備配置データベースＤＢ７に記憶される設備配置情報は、後述するフロアマップ表示及び一覧表示の画面データを作成するときに使用される。つまり、上述した病室配置データベースＤＢ６と同じく、病棟設備配置データベースＤＢ７では、１つの設備について、フロアマップ表示用の設備配置情報と、一覧表示用の設備配置情報との２つの設備配置情報が登録される。
【００３６】
環境検査結果データベースＤＢ８には、当該医療施設において実施した環境検査の結果が格納される。この環境検査とは、病原体に汚染された病室又は設備から病原体である細菌等を検出する検査である。具体的には、管理番号、病室番号、設備コード、環境検査方法、検出菌コード、及び検出菌の名称が環境検査結果データベースＤＢ８に格納される。
【００３７】
入出力インタフェース２１ｆは、例えばUSB，IEEE1394，又はRS-232C等のシリアルインタフェース、SCSI，IDE，又は IEEE1284等のパラレルインタフェース、及びＤ／Ａ変換器、Ａ／Ｄ変換器等からなるアナログインタフェース等から構成されている。入出力インタフェース２１ｆには、キーボード及びマウスからなる入力部２３が接続されており、ユーザが当該入力部２３を使用することにより、コンピュータ２ａにデータを入力することが可能である。
【００３８】
通信インタフェース２１ｇは、Ethernet（登録商標）インタフェースである。通信インタフェース２１ｇは情報ネットワーク５を介してクライアント装置３、検体分析装置４、及び電子カルテシステム６に接続されている。コンピュータ２ａは、通信インタフェース２１ｇにより、所定の通信プロトコルを使用して当該情報ネットワーク５に接続されたクライアント装置３、検体分析装置４、及び電子カルテシステム６との間でデータの送受信が可能である。
【００３９】
画像出力インタフェース２１ｈは、ＬＣＤまたはＣＲＴ等で構成された表示部２２に接続されており、ＣＰＵ２１ａから与えられた画像データに応じた映像信号を表示部２２に出力するようになっている。表示部２２は、入力された映像信号にしたがって、画像（画面）を表示する。
【００４０】
＜クライアント装置３の構成＞
図３は、本実施の形態に係るクライアント装置３の構成を示すブロック図である。クライアント装置３は、コンピュータ３ａによって実現される。図３に示すように、コンピュータ３ａは、本体３１と、表示部３２と、入力部３３とを備えている。本体３１は、ＣＰＵ３１ａ、ＲＯＭ３１ｂ、ＲＡＭ３１ｃ、ハードディスク３１ｄ、読出装置３１ｅ、入出力インタフェース３１ｆ、通信インタフェース３１ｇ、及び画像出力インタフェース３１ｈを備えており、ＣＰＵ３１ａ、ＲＯＭ３１ｂ、ＲＡＭ３１ｃ、ハードディスク３１ｄ、読出装置３１ｅ、入出力インタフェース３１ｆ、通信インタフェース３１ｇ、及び画像出力インタフェース３１ｈは、バス３１ｊによって接続されている。
【００４１】
ハードディスク３１ｄは、オペレーティングシステム及びアプリケーションプログラム等、ＣＰＵ３１ａに実行させるための種々のコンピュータプログラム及び当該コンピュータプログラムの実行に用いられるデータがインストールされている。感染情報提供システム１のクライアントプログラム３４ａも、このハードディスク３１ｄにインストールされている。
【００４２】
読出装置３１ｅは、フレキシブルディスクドライブ、ＣＤ−ＲＯＭドライブ、またはＤＶＤ−ＲＯＭドライブ等によって構成されており、可搬型記録媒体３４に記録されたコンピュータプログラムまたはデータを読み出すことができる。また、可搬型記録媒体３４には、コンピュータをクライアント装置３として機能させるためのコンピュータプログラム３４ａが格納されており、コンピュータ３ａが当該可搬型記録媒体３４からコンピュータプログラム３４ａを読み出し、当該コンピュータプログラム３４ａをハードディスク３１ｄにインストールすることが可能である。
【００４３】
また、ハードディスク３１ｄには、例えば米マイクロソフト社が製造販売するWindows（登録商標）等のマルチタスクオペレーティングシステムがインストールされている。以下の説明においては、本実施の形態に係るコンピュータプログラム３４ａは当該オペレーティングシステム上で動作するものとしている。
【００４４】
また、クライアント装置３のその他の構成は、上述したサーバ装置２の構成と同様であるので、その説明を省略する。
【００４５】
＜検体分析装置４の構成＞
本実施の形態に係る検体分析装置４は、血液、尿、喀痰、及びその他の体液の検体から細菌を検出する細菌検査装置である。かかる検体分析装置４は、投入された検体を自動的に分析する自動分析装置であり、検体に試薬を添加して測定試料を作製し、この測定試料を光学的に測定することで、病原体となる細菌を検出するように構成されている。検体分析装置４は、情報ネットワーク５に接続されており、サーバ装置２に対してデータの送受信が可能である。かかる検体分析装置４は、検体を分析し、分析結果（細菌検査結果）を得ると、当該細菌検査結果をサーバ装置２へ送信する。
【００４６】
［感染情報提供システム１の動作］
感染情報提供システム１は、マルチユーザシステムであり、ユーザがログインすることで感染情報提供システム１の機能を利用することができる。ユーザはクライアント装置３を使用して、ユーザ名及びパスワードを入力することで、感染情報提供システム１にログイン要求を行う。サーバ装置３はユーザ名及びパスワードを受信し、ユーザ名及びパスワードを用いてログイン認証を行う。ログイン認証に成功した場合には、クライアント装置３の表示部３２にメニュー画面が表示される。
【００４７】
図５は、メニュー画面の構成を示す図である。図５に示すように、メニュー画面Ｄ１００には、ユーザ間の連絡に用いられる掲示板領域Ａ１０１と、院内感染に関する文書データの閲覧、作成、編集、保存、削除等を行うための文書管理領域Ａ１０２と、メールの閲覧、作成、送信等を行うためのメール操作領域Ａ１０３と、感染情報提供システム１の各画面に表示を切り替えるためのメニュー領域Ａ１０４とが設けられている。メニュー領域Ａ１０４には、感染情報提供システム１の各種の機能を呼び出すための複数のメニューが設けられている。メニュー領域Ａ１０４には、４つのタブＴ１０５〜Ｔ１０８が設けられており、これらのタブＴ１０５〜Ｔ１０８の１つをユーザがマウス操作等によって選択すると、選択されたタブに対応するアイコンがメニュー領域Ａ１０４に表示されるようになっている。院内感染管理タブＴ１０５に含まれるアイコンは、院内感染管理に使用される機能が割り当てられている。具体的には、院内感染レポートの表示及び作成が割り当てられた「院内感染レポート」アイコンＣ１１１、ユーザによって指定された月における日毎、又は週毎の菌別の検出数の表示が割り当てられた「検出モニタリング」アイコンＣ１１２、患者の感染状況、処置、治療経過等の診療情報の検索及び表示が割り当てられた「患者検索」アイコンＣ１１３、病棟毎又はフロア毎の感染者の分布状況の表示が割り当てられた「病棟マップ」アイコンＣ１１４、掲示板への情報の投稿が割り当てられた「掲示板登録」アイコンＣ１１５、感染情報提供システム１を使用するユーザに関する情報の設定が割り当てられた「ユーザ設定」アイコンＣ１１６、及び感染情報提供システム１の操作マニュアルのダウンロードに割り当てられた「マニュアルダウンロード」アイコンＣ１１７が院内感染管理タブＴ１０５のアイコンとして設けられている。なお、ここでいう「アイコン」とは、特定の機能が割り当てられ、当該機能を象徴的に表すようにデザインされた画像をいい、ウィンドウ内において表示されるものを含む。
【００４８】
上記のような院内感染管理タブＴ１０５の各アイコンに割り当てられた機能は、感染症の対策を実施するインフェクションコントロールドクター（ＩＣＤ）及び感染管理看護師（ＩＣＮ）、並びに通常の医療現場（病室等）において医療行為を実施する医師及び看護師によって使用される。
【００４９】
ＩＣＴ支援タブＴ１０６には、感染制御チーム（ＩＣＴ）を支援するための機能が割り当てられたアイコンが設けられている（図示せず）。感染制御チームは、感染管理を担当する専門家であるインフェクションコントロールドクター及び感染管理看護師によって構成されるチームである。感染制御チームは、当該医療施設全体における感染管理に関する業務を担当し、集団感染の防止及び対策等を実施する院内感染サーベイランス、医療施設全体の感染対策計画の立案、職員への感染予防の実施及び指導等を行う。これに対して、感染制御チームに属さない医師及び看護師等の医療従事者は、主として各患者に対して個別に医療行為を行う。したがって、感染制御チームのメンバーは、病棟全体における感染者の分布状況、及び各フロア内における感染箇所（感染者がいる箇所及び細菌が検出された箇所）等の大局的な情報が必要であるが、感染制御チームに属さない医師及び看護師は、各患者に対して適切に感染予防を図りつつ医療行為を実施するために、患者毎の感染状況及び各患者の入院している病室等の患者個別の情報が必要である。このように、感染制御チームのメンバーと、感染制御チームに属さない医療従事者とでは、必要とする感染に関する情報が異なっている。ＩＣＴ支援タブＴ１０６は、上記のような感染制御チームの業務に使用される情報を提供するためのタブである。
【００５０】
マスタメンテナンスタブＴ１０７及びＴ１０８のそれぞれには、デバイス挿入抜去実施データベースＤＢ１、入退院移動情報データベースＤＢ２、細菌検査結果データベースＤＢ３、病棟構成データベースＤＢ４、病棟設備データベースＤＢ５、病棟配置データベースＤＢ６、病棟設備配置データベースＤＢ７、及び環境検査結果データベースＤＢ８のマスタ管理を行うためのアイコンが設けられている（図示せず）。
【００５１】
＜病棟マップ表示処理＞
ユーザは、上述した院内感染管理タブＴ１０５に含まれる病棟マップアイコンＣ１１４をマウス操作等によって選択することで、病棟マップ表示機能を呼び出すことができる。病棟マップ表示機能は、以下に説明する病棟マップ表示処理をサーバ装置２及びクライアント装置３が実行することによって実現される。
【００５２】
図６は、病棟マップ表示処理の流れを示すフローチャートである。病棟マップアイコンＣ１１４が選択されることで、クライアント装置３のＣＰＵ３１ａが病棟マップ表示指示を受け付けると（ステップＳ１０１）、ＣＰＵ３１ａは、病棟マップの表示に必要な病棟マップ表示データを要求する要求データをサーバ装置２へ送信する（ステップＳ１０２）。
【００５３】
クライアント装置３から送信された要求データはサーバ装置２によって受信される。サーバ装置２のＣＰＵ２１ａは、前記要求データを受信するまで待機する（ステップＳ１０３においてＮＯ）。サーバ装置２が要求データを受信すると（ステップＳ１０３においてＹＥＳ）、ＣＰＵ２１ａは、入退院移動情報データベースＤＢ２、細菌検査結果データベースＤＢ３から、各病棟に入院している患者の入退院移動情報及び細菌検査結果を取得する（ステップＳ１０４）。入退院移動情報によって各患者がどの病棟のどのフロアに入院しているかが特定され、細菌検査結果によってどの患者が病原体に感染しているか、また感染している場合にはどの病原体に感染しているかが特定される。また、入退院移動情報及び細菌検査結果は、何れも患者ＩＤを含んでおり、これによって同一の患者の入退院移動情報及び細菌検査結果が対応付けて取得される。これらの入退院移動情報及び細菌検査結果は、後述する病棟マップを作成するために必要な情報である。
【００５４】
次にＣＰＵ２１ａは、取得した情報に基づいて、病棟マップ表示データを作成する（ステップＳ１０５）。またＣＰＵ２１ａは、作成した病棟マップ表示データを要求元のクライアント装置３へ送信し（ステップＳ１０６）、処理を終了する。
【００５５】
サーバ装置２から送信された病棟マップ表示データはクライアント装置３によって受信される。クライアント装置３のＣＰＵ３１ａは、前記病棟マップ表示データを受信するまで待機する（ステップＳ１０７においてＮＯ）。クライアント装置３が病棟マップ表示データを受信すると（ステップＳ１０７においてＹＥＳ）、ＣＰＵ３１ａは、受信された病棟マップ表示データに基づいて、病棟マップを表示部３２に表示させ（ステップＳ１０８）、処理を終了する。
【００５６】
図７は、病棟マップ画面の一例を示す図である。図７に示すように、病棟マップ画面Ｄ２００には、病棟マップＭ２０１が表示される病棟マップ領域Ａ２０２が設けられている。また、医療施設に病棟が複数設けられている場合には、病棟マップ領域Ａ２０２に病棟切替タブＴ２０３〜Ｔ２０５が表示される。当該病棟切替タブＴ２０３〜Ｔ２０５は、ユーザによるマウスのクリック操作等によって選択可能であり、選択されたタブに対応する病棟の病棟マップが病棟マップ領域Ａ２０２に表示されるようになっている。
【００５７】
病棟マップＭ２０１は、病棟全体の構造が簡略化された図形として表示される。病棟が複数階から構成されている場合には、各階のフロアが図示された病棟マップＭ２０１が表示される。各階のフロア図Ｇ２０６の左方には、何階かを示す階数表示Ｇ２１５が付される。フロア図Ｇ２０６にはフロア情報Ｇ２０７がフロア別に表示される。フロア情報Ｇ２０７には、各フロアの名称とそのフロアに入院している患者数とが含まれる。これにより、どのフロアに何人の入院患者がいるかが容易に把握される。また、同一の階において複数のフロアが設けられている場合には、それぞれのフロアについてフロア情報Ｇ２０７が表示される。例えば、図７に示す例では、４階が「４階東」フロアと、「４階西」フロアと、「ＨＣＵ」フロアとに分かれており、これらの「４階東」フロアについてはフロア名称「４階東」及び入院患者数「２２名」を含むフロア情報Ｇ２０７が、「４階西」フロアについてはフロア名称「４階西」及び入院患者数「１名」を含むフロア情報Ｇ２０７が、「ＨＣＵ」フロアについてはフロア名称「ＨＣＵ」及び入院患者数「０名」を含むフロア情報Ｇ２０７がそれぞれ表示される。
【００５８】
また、各階のフロア図には、そのフロアにおける感染者情報Ｇ２０８が表示される。感染者情報は、内部に感染者数を示す数字が描画された円形の図形として示される。円形の図形は、感染症の病原体の種類によって赤色、青色、橙色に色分けされる。つまり、円形の図形の色により、病原体の種類が示される。具体的には、赤色の図形Ｇ２０９は、ＭＲＳＡ、耐性菌、及びＭＤＲＰの感染症のグループ、即ち細菌による感染症のグループを示しており、青色の図形Ｇ２１０は、インフルエンザ抗原Ａ、インフルエンザ抗原Ｂ、ＢＨＢＶ、ＨＣＶ、監査対象（病床・水場）、風邪、腸感染ウイルスのグループ、即ちウイルスによる感染症のグループを示しており、橙色の図形Ｇ２１１は、ＴＰＨＡ（梅毒)、ＨＴＬＶ（ヒトＴリンパ好性ウイルス）のグループを示している。また、感染者情報Ｇ２０８のうち、後述する日時指定領域Ａ２１４により指定された日から一週間以内に検出された感染者情報Ｇ２０８には、円形の図形の右下に星の図形が付される。
【００５９】
赤色の図形Ｇ２０９の中には、赤色のグループに属する感染症の患者数が表示される。同じく、青色の図形Ｇ２１０の中には、青色のグループに属する感染症の患者数が表示され、橙色の図形Ｇ２１１の中には、橙色のグループに属する感染症の患者数が表示される。これにより、どのフロアにどの種類（グループ）の感染症の患者が何人いるかが容易に把握される。
【００６０】
上記のような病棟マップ領域Ａ２０２の左方には、各感染症の院内全体における感染者数の一覧が表示される感染者数一覧表示領域Ａ２１２が設けられている。また、病棟マップ領域Ａ２０２の上方には、病棟マップで使用される記号の意味を説明する凡例が示される凡例領域Ａ２１３が設けられている。かかる凡例領域Ａ２１３には、図形Ｇ２０９〜Ｇ２１１の説明として、各図形に対応するグループに属する感染症がグループ毎に示される。
【００６１】
また、凡例領域Ａ２１３の左方には、日時を指定するための日時指定領域Ａ２１４が設けられている。この日時指定領域Ａ２１４には、日時を指定するための入力ボックスが含まれる。当該入力ボックスにおいて日時を指定することで、指定された日時における病棟内の感染状況を示す病棟マップに表示が更新されるようになっている。
【００６２】
また、上述した各フロア情報Ｇ２０７は、ユーザのマウスのクリック操作によって選択可能である。１つのフロア情報Ｇ２０７が選択されると、後述するフロアマップ表示処理が呼び出され、選択されたフロアのフロアマップが表示される。
【００６３】
＜フロアマップ表示処理＞
ユーザは、上述した病棟マップＭ２０１のフロア情報Ｇ２０７のうち、フロアマップを表示したいフロアのフロア情報Ｇ２０７を選択することで、当該フロアのフロアマップを表示するフロアマップ表示処理を呼び出すことができる。
【００６４】
図８は、フロアマップ表示処理の流れを示すフローチャートである。フロア情報Ｇ２０７が選択されることで、クライアント装置３のＣＰＵ３１ａが、選択されたフロア情報Ｇ２０７に対応するフロア（以下、「対象フロア」という。）のフロアマップ表示指示を受け付けると（ステップＳ２０１）、ＣＰＵ３１ａは、フロアマップの表示に必要なフロアマップ表示データを要求する要求データをサーバ装置２へ送信する（ステップＳ２０２）。この要求データには、対象フロアを特定する情報（病棟コード）が含まれている。
【００６５】
クライアント装置３から送信された要求データはサーバ装置２によって受信される。サーバ装置２のＣＰＵ２１ａは、前記要求データを受信するまで待機する（ステップＳ２０３においてＮＯ）。サーバ装置２が要求データを受信すると（ステップＳ２０３においてＹＥＳ）、ＣＰＵ２１ａは、まず現在の日時において対象フロアに属する患者の患者情報（患者ＩＤ及び患者氏名）を、要求データに含まれる病棟コード及び現在の日時情報を検索キーとして入退院移動情報データベースＤＢ２から検索する（ステップＳ２０４）。
【００６６】
次にＣＰＵ２１ａは、ステップＳ２０４において取得した患者ＩＤ及び現在の日時情報を検索キーとして、現在の日時における患者の感染情報を細菌検査結果データベースＤＢ３から検索し、また、現在の日時における患者のデバイス装着情報をデバイス挿入抜去実施データベースＤＢ１から検索する（ステップＳ２０５）。この処理では、現在の日時の直前の細菌検査結果に含まれる検出菌コード及び検出菌名称が感染情報として取得される。このとき、２回以上前に実施された細菌検査結果からは感染情報が取得されない。例えば、現在の日時の直前の細菌検査結果において細菌が検出されていない場合には、それ以前の細菌検査結果において細菌が検出されていたとしても、現在は感染症が治癒しているため、感染情報には検出菌コード及び検出菌名称が１つも含まれないこととなる。また、ステップＳ２０５においては、デバイスの挿入日から現在の日時までにデバイスの抜去日が登録されていないデバイスのデバイスコード及びデバイス名がデバイス装着情報として取得される。例えば、デバイスの挿入日と抜去日との両方がデバイス挿入抜去実施データベースＤＢ１に登録されており、前記抜去日が、デバイスの挿入日から現在の日時までの間にある場合は、当該デバイスは一度患者に装着されたが現在は装着されていないため、当該デバイスの情報はデバイス装着情報に含まれないこととなる。
【００６７】
次にＣＰＵ２１ａは、要求データに含まれる病棟コードを検索キーとして、対象フロアにおけるフロアマップ表示に用いられる病室配置情報及び設備配置情報を病室配置データベースＤＢ６及び病棟設備配置データベースＤＢ７から検索する（ステップＳ２０６）。この処理では、病室配置データベースＤＢ６及び病棟設備配置データベースＤＢ７から、病棟フロア描画区分が“１”であって、要求データに含まれる病棟コードと同一の病棟コードを含むレコードが検索される。
【００６８】
次にＣＰＵ２１ａは、要求データに含まれる病棟コード及び現在の日時情報を検索キーとして、対象フロアにおける現在の日時の環境検査結果情報を検索する（ステップＳ２０７）。この処理では、現在の日時の直前の環境検査結果に含まれる病室番号又は設備コード、並びに検出菌コード及び検出菌名称が環境検査結果情報として取得される。このとき、同一の病室又は設備において２回以上前に実施された環境検査結果からは環境検査結果情報が取得されない。例えば、ある病室について現在の日時の直前に実施された環境検査結果において細菌が検出されていない場合には、それ以前に同一の病室について実施された環境検査結果において細菌が検出されていたとしても、現在はその病室は細菌に汚染されていないため、当該病室に係る環境検査結果情報には検出菌コード及び検出菌名称が１つも含まれないこととなる。
【００６９】
次にＣＰＵ２１ａは、上記のステップＳ２０３〜Ｓ２０７において取得された情報に基づいて、現在の日時における対象フロアのフロアマップを表示するためのフロアマップ表示データを作成する（ステップＳ２０８）。またＣＰＵ２１ａは、作成したフロアマップ表示データを要求元のクライアント装置３へ送信し（ステップＳ２０９）、処理を終了する。
【００７０】
サーバ装置２から送信されたフロアマップ表示データはクライアント装置３によって受信される。クライアント装置３のＣＰＵ３１ａは、前記フロアマップ表示データを受信するまで待機する（ステップＳ２１０においてＮＯ）。クライアント装置３がフロアマップ表示データを受信すると（ステップＳ２１０においてＹＥＳ）、ＣＰＵ３１ａは、受信されたフロアマップ表示データに基づいて、現在の日時における対象フロアのフロアマップを表示部３２に表示させ（ステップＳ２１１）、処理を終了する。
【００７１】
図９は、フロアマップ画面の一例を示す図である。図９に示すように、フロアマップ画面Ｄ３００には、フロアマップＭ３０１が表示されるフロアマップ領域Ａ３０２が設けられている。
【００７２】
フロアマップＭ３０１は、対象フロアの斜視図である。かかるフロアマップＭ３０１には、対象フロアにおける病室及び設備の配置が正確に示される。つまり、ステップＳ２０６において病室配置データベースＤＢ６から取得された病室配置情報には、病室の配置位置情報として四角形の病室の各頂点の座標が含まれている。同じく、ステップＳ２０６において病棟設備配置データベースＤＢ７から取得された設備配置情報には、設備の配置位置情報として四角形の設備の各頂点の座標が含まれている。フロアマップ上において、これらの配置位置情報により特定される各病室及び各設備の位置に、病室及び設備を示す図形（四角形）Ｇ３０３，Ｇ３０４，Ｇ３０５，Ｇ３０６が表示される。
【００７３】
また、フロアマップＭ３０１において、病室の図形（以下、「病室図形」という。）Ｇ３０３，Ｇ３０４の内部には、病室番号が表示される。病室図形は２種類設けられており、一方の病室図形Ｇ３０３は、四角形の枠が黒色であり、枠の内側が白色の図形であり、感染者が入院していない病室を示している。他方の病室図形Ｇ３０４は、四角形の枠が黒色であり、枠の内側が赤色（図中斜線で示す。）の図形であり、感染者が入院している病室を示している。ステップＳ２０８において、ＣＰＵ２１ａは、細菌検査結果及び入退院移動情報に基づいて、細菌検査によって病原体が検出された患者が入院している病室を特定し、特定された病室を病室図形Ｇ３０４で表示し、それ以外の病室を病室図形Ｇ３０３で表示するように、フロアマップ表示データを作成する。
【００７４】
フロアマップＭ３０１において、設備の図形（以下、「設備図形」という。）Ｇ３０５，Ｇ３０６の内部には、設備名称が表示される。設備図形は２種類設けられており、一方の設備図形Ｇ３０５は、四角形の枠が黒色であり、枠の内側が白色の図形であり、環境検査において病原体が検出されていない設備を示している。他方の設備図形Ｇ３０６は、四角形の枠が黒色であり、枠の内側が赤色（図中斜線で示す。）の図形であり、環境検査において病原体が検出されている設備を示している。ステップＳ２０８において、ＣＰＵ２１ａは、環境検査結果に基づいて、環境検査によって病原体が検出された設備を特定し、特定された設備を設備図形Ｇ３０６で表示し、それ以外の設備を設備図形Ｇ３０５で表示するように、フロアマップ表示データを作成する。
【００７５】
また、フロアマップ領域Ａ３０２の上方には、記号の意味を説明する凡例が示される凡例領域Ａ３１３が設けられている。かかる凡例領域Ａ３１３には、病棟マップ画面Ｄ２００の凡例領域Ａ２１３と同一の凡例が表示される。
【００７６】
また、凡例領域Ａ３１３の左方には、日時を指定するための日時指定領域Ａ３１４が設けられている。この日時指定領域Ａ３１４には、対象フロアを指定するための対象フロア入力ボックスＢ３１７と、日時を指定するための日時入力ボックスＢ３１５と、フロアマップ画面Ｄ３００の再描画を指示するための再描画ボタンＢ３１６とが含まれる。ユーザが対象フロア入力ボックスＢ３１７においてフロアマップを表示させたいフロアを選択し、日時入力ボックスＢ３１５において日時を指定した上で、再描画ボタンＢ３１６をマウスでのクリック操作により選択することで、指定された日時における指定された対象フロア内の感染状況を示すフロアマップに表示が更新されるようになっている。
【００７７】
日時入力ボックスＢ３１５の下方には、フロアマップ画面に表示を切り替えるためのフロアマップ表示切替ボタンＢ３１８と、後述する一覧画面に表示を切り替えるための一覧表示切替ボタンＢ３１９とが設けられている。フロアマップ表示切替ボタンＢ３１８及び一覧表示切替ボタンＢ３１９のそれぞれは、選択可能なグラフィックオブジェクト（コントロール）であり、マウスによるクリック操作等で選択可能である。但し、フロアマップ画面Ｄ３００においては、フロアマップ表示切替ボタンＢ３１８は既に選択された状態であるため、選択状態で表示され（図９においては、非選択状態表示よりも大きいボタンとして表示され）、さらに選択することはできない。フロアマップ画面Ｄ３００においては、一覧表示切替ボタンＢ３１９が非選択状態（選択状態のボタンよりも小さいボタン）で表示され、マウスのクリック操作等によって選択可能である。この一覧表示切替ボタンＢ３１９が選択されるとこで、フロアマップ画面Ｄ３００から一覧画面に表示が切り替わる。
【００７８】
一覧表示切替ボタンＢ３１９の右には、表示画面（フロアマップ画面又は一覧画面）の更新を手動で実行するための手動更新ラジオボタンＢ３２０と、表示画面の更新を所定時間毎に自動で実行するための自動更新ラジオボタンＢ３２１とが設けられている。手動更新ラジオボタンＢ３２０及び自動更新ラジオボタンＢ３２１は、マウスのクリック操作によって選択可能なグラフィックオブジェクトであり、同時に何れか一方のみを選択可能である。
【００７９】
かかるフロアマップ画面Ｄ３００は、主として感染制御チームのメンバーによって用いられる。フロアマップ画面Ｄ３００に示されるフロアマップＭ３０１は、病室及び設備の配置位置が正確に表される。また、フロアマップＭ３０１には、各病室図形に患者氏名等の情報が表示されず、感染者が入院している病室及び環境検査によって病原体が検出された設備（以下、「感染病室等」という。）が、感染者が入院していいない病室及び環境検査によって病原体が検出されなかった設備（以下、「非感染病室等」という。）とは区別して表示される。このため、かかるフロアマップ画面Ｄ３００により、医療施設全体における感染管理に関する業務にとって重要な情報である感染病室等の正確な位置を感染制御チームのメンバーが容易に把握することができる。
【００８０】
＜フロアマップでの患者情報表示処理＞
ユーザは、上述したフロアマップＭ３０１の任意の病室にマウスオーバー操作（マウスポインタを病室図形上に配置する操作）を行うことにより、その病室に入院している患者の情報を表示させることができる。以下、このフロアマップでの患者情報表示処理について説明する。
【００８１】
図１０は、フロアマップでの患者情報表示処理の流れを示すフローチャートである。クライアント装置３のＣＰＵ３１ａは、病室図形のマウスオーバー操作を受け付けると（ステップＳ３０１）、マウスオーバーが行われた病室図形に対応する病室に属する患者の患者情報をフロアマップ上に重畳表示させる（ステップＳ３０２）。
【００８２】
図１１は、患者情報が重畳表示されたフロアマップ画面の例を示す図である。図１１には、病室番号“３０８”の病室図形Ｇ３０４にマウスオーバー操作が行われた例が示されている。病室“３０８”は感染病室等であり、入院患者に感染者が含まれている。病室に入院している患者の患者情報は、吹き出し状の枠Ｇ４０１に囲まれて表示される。この吹き出し状の枠Ｇ４０１には、入院患者の氏名Ｇ４０２が並べて表示され、感染者である入院患者の氏名の左には、感染している病原体を示すマークＧ４０３，Ｇ４０４が表示される。病原体のマークＧ４０３，Ｇ４０４は、入院患者が感染している病原体が凡例領域Ａ３１３に凡例として示されている病原体の記号と対応する記号とされる。例えば、患者“福岡  清”はインフルエンザ抗原Ｂに感染しており、凡例において示されているインフルエンザ抗原Ｂのマークと同一のマークＧ４０３が、当該患者氏名“福岡  清”の左に表示される。
【００８３】
また、患者がデバイスを装着している場合には、デバイスを装着していることを示すマークが当該患者の氏名の左に表示される。図１１に示す例では、患者“熊本  剛”は病原体に感染し、且つ、デバイスを装着しており、感染している病原体である腸感染ウイルスに対応するマークＧ４０４と、デバイス装着のマークＧ４０５とが、当該患者氏名“熊本  剛”の左に並べて表示される。
【００８４】
このように、病室図形のマウスオーバー操作に伴って患者情報を表示することで、ユーザが当該病室に入院している患者を容易に把握することができる。また、患者氏名と感染している病原体を示すマークとが対応付けて表示されることで、ユーザがどの患者がどの病原体に感染しているかを容易に把握することができる。フロアマップ画面Ｄ３００を参照していた感染制御チームのメンバーが、感染病室等の病室に入院している患者の氏名、又は感染している病原体を把握したい場合、又は感染制御チームに属さない医療従事者が、フロアマップを参照しており、特定の病室について詳しい患者の情報が知りたい場合には、これらのユーザが目的の病室に対応する病室図形にマウスオーバー操作を行うことで、目的とする情報を容易に得ることができる。
【００８５】
図１０に戻って、フロアマップでの患者情報表示処理について説明する。ＣＰＵ３１ａは、マウスオーバーされていた病室図形からマウスポインタが外れたか否かを判定する（ステップＳ３０３）。ＣＰＵ３１ａは、病室図形からマウスポインタが外れていない場合には（ステップＳ３０３においてＮＯ）、ステップＳ３０３の処理を繰り返す。ユーザは、患者情報を消去（非表示）したい場合には、マウスポインタを病室図形から移動させる。ステップＳ３０３において、病室図形からマウスポインタが外れた場合には（ステップＳ３０３においてＹＥＳ）、ＣＰＵ３１ａは、表示されていた患者情報を非表示にし（ステップＳ３０４）、処理を終了する。
【００８６】
このように、フロアマップ画面Ｄ３００において、ユーザは病室図形にマウスオーバー操作を行うことで、患者情報をポップアップ表示させ、またマウスポインタを病室図形から外すことで、患者情報を非表示にすることができる。これにより、ユーザは必要なときにだけ任意の病室の患者情報を表示させることができ、また患者情報を表示させたくない場合には容易に非表示にすることができる。
【００８７】
＜一覧表示切替処理＞
上述したように、ユーザは、フロアマップ画面Ｄ３００における一覧表示切替ボタンＢ３１９を選択することで、当該フロアの一覧マップを表示する一覧表示切替処理を呼び出すことができる。
【００８８】
図１２は、一覧表示切替処理の流れを示すフローチャートである。一覧表示切替ボタンＢ３１９が選択されることで、クライアント装置３のＣＰＵ３１ａが、その時点で表示中のフロアマップ画面Ｄ３００と同じ対象フロアの一覧表示指示を受け付けると（ステップＳ４０１）、ＣＰＵ３１ａは、一覧表示に必要な一覧表示データを要求する要求データをサーバ装置２へ送信する（ステップＳ４０２）。この要求データには、対象フロアを特定する情報（病棟コード）が含まれている。
【００８９】
クライアント装置３から送信された要求データはサーバ装置２によって受信される。サーバ装置２のＣＰＵ２１ａは、前記要求データを受信するまで待機する（ステップＳ４０３においてＮＯ）。サーバ装置２が要求データを受信すると（ステップＳ４０３においてＹＥＳ）、ＣＰＵ２１ａは、まず現在の日時において対象フロアに属する患者の患者情報（患者ＩＤ及び患者氏名）を、要求データに含まれる病棟コード及び現在の日時情報を検索キーとして入退院移動情報データベースＤＢ２から検索する（ステップＳ４０４）。
【００９０】
次にＣＰＵ２１ａは、ステップＳ４０４において取得した患者ＩＤ及び現在の日時情報を検索キーとして、現在の日時における患者の感染情報を細菌検査結果データベースＤＢ３から検索し、また、現在の日時における患者のデバイス装着情報をデバイス挿入抜去実施データベースＤＢ１から検索する（ステップＳ４０５）。この処理は、ステップＳ２０５の処理と同様であるので、その説明を省略する。
【００９１】
次にＣＰＵ２１ａは、要求データに含まれる病棟コードを検索キーとして、対象フロアにおける一覧表示に用いられる病室配置情報及び設備配置情報を病室配置データベースＤＢ６及び病棟設備配置データベースＤＢ７から検索する（ステップＳ４０６）。この処理では、病室配置データベースＤＢ６及び病棟設備配置データベースＤＢ７から、病棟フロア描画区分が“２”であって、要求データに含まれる病棟コードと同一の病棟コードを含むレコードが検索される。
【００９２】
次にＣＰＵ２１ａは、要求データに含まれる病棟コード及び現在の日時情報を検索キーとして、対象フロアにおける現在の日時の環境検査結果情報を検索する（ステップＳ４０７）。この処理は、ステップＳ２０７の処理と同様であるので、その説明を省略する。
【００９３】
次にＣＰＵ２１ａは、上記のステップＳ４０３〜Ｓ４０７において取得された情報に基づいて、現在の日時における対象フロアの一覧画面を表示するための一覧表示データを作成する（ステップＳ４０８）。またＣＰＵ２１ａは、作成した一覧表示データを要求元のクライアント装置３へ送信し（ステップＳ４０９）、処理を終了する。
【００９４】
サーバ装置２から送信された一覧表示データはクライアント装置３によって受信される。クライアント装置３のＣＰＵ３１ａは、前記一覧表示データを受信するまで待機する（ステップＳ４１０においてＮＯ）。クライアント装置３が一覧表示データを受信すると（ステップＳ４１０においてＹＥＳ）、ＣＰＵ３１ａは、受信された一覧表示データに基づいて、現在の日時における対象フロアの一覧画面を表示部３２に表示させ（ステップＳ４１１）、処理を終了する。
【００９５】
図１３は、一覧画面の一例を示す図である。図１３に示すように、一覧画面Ｄ５００には、一覧マップＭ５０１が表示される一覧マップ領域Ａ５０２が設けられている。
【００９６】
一覧マップＭ５０１は、対象フロアの模式的な平面図である。かかる一覧マップＭ５０１には、対象フロアにおける病室及び設備の大まかな配置が示される。つまり、ステップＳ２０６において病室配置データベースＤＢ６から取得された病室配置情報には、病室の配置位置情報として四角形の病室の１つの頂点の座標が含まれている。同じく、ステップＳ２０６において病棟設備配置データベースＤＢ７から取得された設備配置情報には、設備の配置位置情報として四角形の設備の１つの頂点の座標が含まれている。フロアマップ上において、これらの配置位置情報により特定される各病室及び各設備の位置に、病室及び設備を示す図形（四角形）Ｇ５０３，Ｇ５０４，Ｇ５０５，Ｇ５０６が表示される。
【００９７】
また、一覧マップＭ５０１において、病室図形Ｇ５０３，Ｇ５０４の枠に接するように、病室図形よりも小さい四角形の枠が表示され、その枠の内側に病室番号が表示される。病室図形は２種類設けられており、一方の病室図形Ｇ５０３は、四角形の枠が細線の黒色であり、枠の内側が白色の図形であり、感染者が入院していない病室を示している。他方の病室図形Ｇ５０４は、四角形の枠が太線の赤色（図中斜線で示す。）であり、枠の内側が白色の図形であり、感染者が入院している病室を示している。ステップＳ４０８において、ＣＰＵ２１ａは、細菌検査結果及び入退院移動情報に基づいて、細菌検査によって病原体が検出された患者が入院している病室を特定し、特定された病室を病室図形Ｇ５０４で表示し、それ以外の病室を病室図形Ｇ５０３で表示するように、一覧表示データを作成する。
【００９８】
さらに感染者が入院している病室を示す病室図形Ｇ５０４の内側には、入院患者の氏名Ｇ５０７が並べて表示され、感染者である入院患者の氏名の左には、感染している病原体を示すマークＧ５０８，Ｇ５０９が表示される。病原体のマークＧ５０８，Ｇ５０９は、入院患者が感染している病原体が凡例領域Ａ３１３に凡例として示されている病原体の記号と対応する記号とされる。例えば、患者“福岡  清”はインフルエンザ抗原Ｂに感染しており、凡例において示されているインフルエンザ抗原Ｂのマークと同一のマークＧ５０８が、当該患者氏名“福岡  清”の左に表示される。
【００９９】
また、患者がデバイスを装着している場合には、デバイスを装着していることを示すマークが当該患者の氏名の左に表示される。図１３に示す例では、患者“熊本  剛”は病原体に感染し、且つ、デバイスを装着しており、感染している病原体である腸感染ウイルスに対応するマークＧ５０９と、デバイス装着のマークＧ５１０とが、当該患者氏名“熊本  剛”の左に並べて表示される。
【０１００】
一覧マップＭ５０１において、設備図形Ｇ５０５，Ｇ５０６の内部には、設備名称が表示される。設備図形は２種類設けられており、一方の設備図形Ｇ５０５は、四角形の枠が黒色であり、枠の内側が白色の図形であり、環境検査において病原体が検出されていない設備を示している。他方の設備図形Ｇ５０６は、四角形の枠が黒色であり、枠の内側が赤色（図中斜線で示す。）の図形であり、環境検査において病原体が検出されている設備を示している。ステップＳ４０８において、ＣＰＵ２１ａは、環境検査結果に基づいて、環境検査によって病原体が検出された設備を特定し、特定された設備を設備図形Ｇ５０６で表示し、それ以外の設備を設備図形Ｇ５０５で表示するように、フロアマップ表示データを作成する。
【０１０１】
また、一覧マップ領域Ａ５０２の上方には、記号の意味を説明する凡例が示される凡例領域Ａ３１３が設けられている。かかる凡例領域Ａ３１３には、病棟マップ画面Ｄ２００の凡例領域Ａ２１３と同一の凡例が表示される。なお、フロアマップ画面Ｄ３００においては、凡例で示される記号は使用されない。
【０１０２】
また、凡例領域Ａ３１３の左方には、日時を指定するための日時指定領域Ａ３１４が設けられている。この日時指定領域Ａ３１４には、上述したフロアマップ画面Ｄ３００における日時指定領域Ａ３１４と同様の内容が表示される。つまり、日時指定領域Ａ３１４には、対象フロアを指定するための対象フロア入力ボックスＢ３１７と、日時を指定するための日時入力ボックスＢ３１５と、一覧画面Ｄ５００の再描画を指示するための再描画ボタンＢ３１６とが含まれる。ユーザが対象フロア入力ボックスＢ３１７において一覧画面を表示させたいフロアを選択し、日時入力ボックスＢ３１５において日時を指定した上で、再描画ボタンＢ３１６をマウスでのクリック操作により選択することで、指定された日時における指定された対象フロア内の感染状況を示す一覧マップに表示が更新されるようになっている。
【０１０３】
日時入力ボックスＢ３１５の下方には、フロアマップ画面Ｄ３００と同様に、フロアマップ表示切替ボタンＢ３１８と、一覧表示切替ボタンＢ３１９とが設けられている。但し、一覧画面Ｄ５００においては、一覧表示切替ボタンＢ３１９は既に選択された状態であるため、選択状態で表示され（図１３においては、非選択状態表示よりも大きいボタンとして表示され）、さらに選択することはできない。一覧画面Ｄ５００においては、フロアマップ表示切替ボタンＢ３１８が非選択状態（選択状態のボタンよりも小さいボタン）で表示され、マウスのクリック操作等によって選択可能である。このフロアマップ表示切替ボタンＢ３１８が選択されるとこで、一覧画面Ｄ５００からフロアマップ画面に表示が切り替わる。
【０１０４】
フロアマップ画面Ｄ３００と同様に、一覧表示切替ボタンＢ３１９の右には、手動更新ラジオボタンＢ３２０と、自動更新ラジオボタンＢ３２１とが設けられている。
【０１０５】
かかる一覧画面Ｄ５００は、主として感染制御チームに属さない医療従事者によって用いられる。一覧表示画面Ｄ５００に示される一覧マップＭ５０１は、病室及び設備の配置位置が大まかに表される。さらに詳細には、この一覧マップＭ５０１には、各病室及び設備の形状及び寸法は正確ではないが、各病室及び設備間の相対的な配置位置関係（つまり、どの病室の隣はどの病室である等の病室同士、病室と設備同士、及び設備同士の位置関係）は正確に示される。また、一覧マップＭ５０１には、各病室図形に入院している患者の氏名と、患者が感染している病原体を示すマークが表示される。これにより、かかる一覧画面Ｄ５００により、患者に対して医療行為を実施する医療従事者が、どの患者が感染者（保菌者）でありどの病室にいるか、また感染者の患者は何の感染症に罹患しているか等、現場で各患者に医療行為を行う上で院内感染の予防に必要な情報を容易に取得することができる。
【０１０６】
＜フロアマップ表示切替処理＞
上述したように、ユーザは、一覧画面Ｄ５００におけるフロアマップ表示切替ボタンＢ３１８を選択することで、当該フロアのフロアマップに表示を切り替えるフロアマップ表示切替処理を呼び出すことができる。
【０１０７】
図１４は、フロアマップ表示切替処理の流れを示すフローチャートである。フロアマップ表示切替ボタンＢ３１８が選択されることで、クライアント装置３のＣＰＵ３１ａが、その時点で表示中の一覧画面Ｄ５００と同じ対象フロアのフロアマップ表示指示を受け付けると（ステップＳ５０１）、ＣＰＵ３１ａは、フロアマップ表示に必要なフロアマップ表示データを要求する要求データをサーバ装置２へ送信する（ステップＳ５０２）。以降の処理は、フロアマップ表示処理のステップＳ２０３〜Ｓ２１１と同様であるので、詳細な説明については省略するが、サーバ装置２によって要求データが受信されると（ステップＳ５０３においてＹＥＳ）、ＣＰＵ２１ａが、現在対象フロアに属する患者の患者情報、各患者の現在における感染情報及びデバイス装着情報、フロアマップ表示での病室配置情報及び設備配置情報、並びに対象フロアにおける現在の環境検査結果情報を取得し（ステップＳ５０４〜Ｓ５０７）、取得された情報に基づいてフロアマップ表示データを作成し（ステップＳ５０８）、作成されたフロアマップ表示データをクライアント装置３へ送信する（ステップＳ５０９）。クライアント装置３がフロアマップ表示データを受信すると（ステップＳ５１０）、ＣＰＵ３１ａが、一覧画面からフロアマップ画面へと表示部３２０の表示を切り替え（ステップＳ５１１）、処理を終了する。
【０１０８】
このように、ユーザは、フロアマップ画面及び一覧画面の間で、画面表示を容易に切り替えることができる。
【０１０９】
＜フロアマップ再描画処理＞
上述したように、ユーザは、フロアマップ画面Ｄ３００の日時指定領域Ａ３１４において、手動更新ラジオボタンＢ３２０を選択した状態で、対象フロア入力ボックスＢ３１７にフロアマップを表示したいフロアの情報を入力し、日時入力ボックスＢ３１５に日時情報を入力し、再描画ボタンＢ３１８を選択することで、指定したフロアの指定した日時における感染状況を示すフロアマップ画面を再描画するフロアマップ再描画処理を呼び出すことができる。また、ユーザが自動更新ラジオボタンＢ３２０を選択すると、所定時間（例えば、１分）毎に、現在表示されているフロアマップと同一の対象フロアの現在の日時における感染状況を示すフロアマップ画面を再描画するフロアマップ再描画処理が呼び出される。
【０１１０】
図１５は、フロアマップ再描画処理の流れを示すフローチャートである。フロアマップ画面において、手動更新ラジオボタンＢ３２０が選択された状態で、対象フロア入力ボックスＢ３１７にフロアの情報が入力され、日時入力ボックスＢ３１５に日時情報が入力され、再描画ボタンＢ３１８が選択されることで、クライアント装置３のＣＰＵ３１ａが、選択された対象フロア及び日時の指定、並びにフロアマップ画面の再描画の指示を受け付ける。また、フロアマップ画面において、自動更新ラジオボタンＢ３２１が選択され、所定の更新時刻が到達すると、クライアント装置３のＣＰＵ３１ａが、現在表示されているフロアマップと同一の対象フロア及び現在の日時の指定、並びにフロアマップ画面の再描画の指示を自動的に受け付ける。このように、ＣＰＵ３１ａは、対象フロア及び日時並びに再描画の指示を受け付けると（ステップＳ６０１）、フロアマップの表示に必要なフロアマップ表示データを要求する要求データをサーバ装置２へ送信する（ステップＳ６０２）。この要求データには、対象フロアを特定する情報（病棟コード）及び指定日時を示す情報が含まれている。
【０１１１】
クライアント装置３から送信された要求データはサーバ装置２によって受信される。サーバ装置２のＣＰＵ２１ａは、前記要求データを受信するまで待機する（ステップＳ６０３においてＮＯ）。サーバ装置２が要求データを受信すると（ステップＳ６０３においてＹＥＳ）、ＣＰＵ２１ａは、まず指定日時において対象フロアに属する患者の患者情報（患者ＩＤ及び患者氏名）を、要求データに含まれる病棟コード及び指定日時情報を検索キーとして入退院移動情報データベースＤＢ２から検索する（ステップＳ６０４）。
【０１１２】
次にＣＰＵ２１ａは、ステップＳ６０４において取得した患者ＩＤ及び指定日時情報を検索キーとして、指定日時における患者の感染情報を細菌検査結果データベースＤＢ３から検索し、また、指定日時における患者のデバイス装着情報をデバイス挿入抜去実施データベースＤＢ１から検索する（ステップＳ６０５）。この処理では、指定日時の直前の細菌検査結果に含まれる検出菌コード及び検出菌名称が感染情報として取得される。このとき、指定日時から２回以上前に実施された細菌検査結果からは感染情報が取得されない。例えば、指定日時の直前の細菌検査結果において細菌が検出されていない場合には、それ以前の細菌検査結果において細菌が検出されていたとしても、指定日時においては感染症が治癒しているため、感染情報には検出菌コード及び検出菌名称が１つも含まれないこととなる。なお、ステップＳ６０５においては、指定日時以降の細菌検査結果は参照されない。
【０１１３】
また、ステップＳ６０５においては、デバイスの挿入日から指定日時までにデバイスの抜去日が登録されていないデバイスのデバイスコード及びデバイス名がデバイス装着情報として取得される。例えば、デバイスの挿入日と抜去日との両方がデバイス挿入抜去実施データベースＤＢ１に登録されており、前記抜去日が、デバイスの挿入日から指定日時までの間にある場合は、当該デバイスは一度患者に装着されたが指定日時においては装着されていないため、当該デバイスの情報はデバイス装着情報に含まれないこととなる。なお、ステップＳ６０５においては、指定日時以降のデバイス挿入抜去実施データは参照されない。
【０１１４】
次にＣＰＵ２１ａは、要求データに含まれる病棟コードを検索キーとして、対象フロアにおけるフロアマップ表示に用いられる病室配置情報及び設備配置情報を病室配置データベースＤＢ６及び病棟設備配置データベースＤＢ７から検索する（ステップＳ６０６）。この処理は、上述したステップＳ２０６の処理と同様であるので、その説明を省略する。
【０１１５】
次にＣＰＵ２１ａは、要求データに含まれる病棟コード及び指定日時情報を検索キーとして、対象フロアにおける指定日時の環境検査結果情報を検索する（ステップＳ６０７）。この処理では、指定日時の直前の環境検査結果に含まれる病室番号又は設備コード、並びに検出菌コード及び検出菌名称が環境検査結果情報として取得される。このとき、同一の病室又は設備において指定日時より２回以上前に実施された環境検査結果からは環境検査結果情報が取得されない。例えば、ある病室について指定日時の直前に実施された環境検査結果において細菌が検出されていない場合には、それ以前に同一の病室について実施された環境検査結果において細菌が検出されていたとしても、現在はその病室は細菌に汚染されていないため、当該病室に係る環境検査結果情報には検出菌コード及び検出菌名称が１つも含まれないこととなる。なお、ステップＳ６０７においては、指定日時以降の環境検査結果は参照されない。
【０１１６】
次にＣＰＵ２１ａは、上記のステップＳ６０３〜Ｓ６０７において取得された情報に基づいて、指定日時における対象フロアのフロアマップを表示するためのフロアマップ表示データを作成する（ステップＳ６０８）。またＣＰＵ２１ａは、作成したフロアマップ表示データを要求元のクライアント装置３へ送信し（ステップＳ６０９）、処理を終了する。
【０１１７】
サーバ装置２から送信されたフロアマップ表示データはクライアント装置３によって受信される。クライアント装置３のＣＰＵ３１ａは、前記フロアマップ表示データを受信するまで待機する（ステップＳ６１０においてＮＯ）。クライアント装置３がフロアマップ表示データを受信すると（ステップＳ６１０においてＹＥＳ）、ＣＰＵ３１ａは、受信されたフロアマップ表示データに基づいて、指定日時における対象フロアのフロアマップを表示部３２に表示させることで、フロアマップを再描画させ（ステップＳ６１１）、処理を終了する。
【０１１８】
これにより、任意のフロア及び過去の任意の日時を指定することで、指定日時における指定されたされたフロアのフロアマップを容易に表示することができる。したがって、ユーザは過去の感染状況を容易に確認することができ、例えば、感染制御チームのメンバーは、過去から現在までの感染状況の推移を確認することで、感染管理に関する業務を効率的に行うことができる。
【０１１９】
なお、フロアマップの再描画と同様に、一覧マップの再描画も可能である。一覧マップの再描画においては、ステップＳ６０２においてフロアマップ表示データを要求する要求データに代えて、一覧表示データを要求する要求データがサーバ装置２へ送信され、ステップＳ６０６において、対象フロアにおけるフロアマップ表示での病室配置情報及び設備配置情報に代えて、対象フロアにおける一覧表示での病室配置情報及び設備配置情報が取得され、ステップＳ６０８乃至Ｓ６１０において、フロアマップ表示データに代えて一覧表示データが作成、送信、及び受信され、ステップＳ６１１において、フロアマップに代えて一覧マップが再描画される他は、フロアマップ再描画処理と同様であるので、その説明を省略する。
【０１２０】
上記のように、本実施の形態にかかる感染情報提供システム１においては、感染制御チームのメンバーに対して、感染制御に関する業務を支援するための情報だけでなく、感染制御チームに属さない一般の医療従事者に対して、現場で各患者に医療行為を行う上で院内感染の予防に必要な情報を提供することができる。
【０１２１】
（その他の実施の形態）
上記の実施の形態においては、一覧マップにおいて、各病室図形に入院している患者の氏名を表示する構成について述べたが、これに限定されるものではない。患者氏名に代えて、患者ＩＤ等の患者を特定可能な情報を表示する構成としてもよい。
【０１２２】
また、上記の実施の形態においては、一覧マップにおいて、感染者と非感染者とを区別するために、感染している病原体を示すマークを患者氏名の横に表示する構成について述べたが、これに限定されるものではない。例えば、感染者の患者の氏名と、非感染者の患者の氏名とを異なる色で表示したり、感染者の患者の氏名を枠で囲み、非感染者の患者の氏名を枠で囲まない等、感染者の患者氏名と非感染者の患者氏名とを異なる表示形式により表示することで、感染者と非感染者とを区別するようにしてもよい。また、非感染者の患者氏名を表示せず、感染者の患者氏名のみを表示する構成としてもよい。
【０１２３】
また、上記の実施の形態においては、一覧マップにおいて、感染している病原体を示すマークを患者氏名の横に表示することで、感染者がどの病原体に感染しているかを識別可能としているが、これに限定されるものではない。例えば、患者が感染している病原体の名称を、患者氏名の横に表示する構成としてもよい。
【０１２４】
また、上記の実施の形態においては、一覧マップにおいて、感染者が入院している病室の病室図形の枠を太線の赤色とし、感染者が入院していない病室の病室図形の枠を細線の黒色とすることで、感染者が入院している病室と感染者が入院していない病室とを区別して表示する構成について述べたが、これに限定されるものではない。感染者が入院している病室の病室図形を黒色の枠の内側が赤色の図形とし、感染者が入院していない病室の病室図形を黒色の枠の内側が白色の図形とする等、他の態様により感染者が入院している病室の病室図形と、感染者が入院していない病室の病室図形とを異ならせるようにしてもよい。
【０１２５】
また、上記の実施の形態においては、各病室及び設備の形状及び寸法は正確ではないが、各病室及び設備間の相対的な配置位置関係を正確に示す一覧マップを表示する構成について述べたが、これに限定されるものではない。一覧マップを、各病室及び各設備の形状及び寸法、位置を正確に示したマップとすることもできる。
【０１２６】
また、上記の実施の形態においては、一覧マップにおいて、各病室の病室図形の内側に、病室に入院している患者氏名を表示する構成について述べたが、これに限定されるものではない。病室図形とは別に患者氏名を表示する領域を設け、この領域において、病室番号毎に入院している患者の氏名をリスト形式で表示する構成としてもよい。また、病室番号毎に入院している患者の氏名をリスト形式で表示する領域を一覧画面に設け、一覧マップにおいて、病室図形ではなく病室番号のみを病室の配置位置に表示する構成としてもよい。
【０１２７】
また、上記の実施の形態においては、感染情報提供システム１が、サーバ装置２及びクライアント装置３を備える構成について述べたが、これに限定されるものではない。サーバ装置２及びクライアント装置３の機能の全てを１台の装置に搭載した感染情報提供システムとしてもよい。
【０１２８】
また、上記の実施の形態においては、クライアント装置３がコンピュータ３ａにより構成されている場合について述べたが、これに限定されるものではない。クライアント装置３を、携帯型電話機、スマートフォン、ＰＤＡ、又は携帯型ゲーム機により構成してもよい。
【０１２９】
また、上記の実施の形態においては、単一のコンピュータ２ａによりコンピュータプログラム２４ａの全ての処理を実行する構成について述べたが、これに限定されるものではなく、上述したコンピュータプログラム２４ａと同様の処理を、複数の装置（コンピュータ）により分散して実行する分散システムとすることも可能である。コンピュータ３ａについても同様である。
【０１３０】
また、上述した実施の形態においては、感染情報提供システム専用のサーバプログラム２４ａがサーバ装置２にインストールされ、当該サーバプログラム２４ａ専用のクライアントプログラム３４ａがクライアント装置３にインストールされ、かかるサーバ装置２及びクライアント装置３によって、上述した各種の処理を実行する構成について述べたが、これに限定されるものではない。クライアント装置３にＷＷＷブラウザプログラムがインストールされ、ＷＷＷサーバとして機能するサーバ装置２と、ＷＷＷクライアントとして機能するクライアント装置３とがｈｔｔｐプロトコルにより通信を行うことで、上記と同様の処理を実行する構成としてもよい。
【産業上の利用可能性】
【０１３１】
本発明に係る感染情報提供システム、感染情報提供装置、及びコンピュータプログラムは、医療施設内における患者の病原体への感染に関する情報を提供する感染情報提供システム、感染情報提供装置、及びコンピュータを感染情報提供装置として機能させるためのコンピュータプログラム等として有用である。
【符号の説明】
【０１３２】
１  感染情報提供システム
２  サーバ装置
２ａ  コンピュータ
２１ａ  ＣＰＵ
２１ｂ  ＲＯＭ
２１ｃ  ＲＡＭ
２１ｄ  ハードディスク
２４ａ  コンピュータプログラム
３  クライアント装置
３ａ  コンピュータ
３１ａ  ＣＰＵ
３１ｂ  ＲＯＭ
３１ｃ  ＲＡＭ
３１ｄ  ハードディスク
４  検体分析装置
【図１】
0005693349.tif 000002
【図２】
0005693349.tif 000003
【図３】
0005693349.tif 000004
【図４】
0005693349.tif 000005
【図５】
0005693349.tif 000006
【図６】
0005693349.tif 000007
【図７】
0005693349.tif 000008
【図８】
0005693349.tif 000009
【図９】
0005693349.tif 000010
【図１０】
0005693349.tif 000011
【図１１】
0005693349.tif 000012
【図１２】
0005693349.tif 000013
【図１３】
0005693349.tif 000014
【図１４】
0005693349.tif 000015
【図１５】
0005693349.tif 000016